(57)【要約】【課題】データ記録パワーを適切に調整することが可能な光ディスク装置及びその記録パワー制御方法を提供する。【解決手段】光ディスクに対して複数種類の記録速度から選定された記録速度でのデータ記録を行う光ディスク装置の記録パワー制御方法において、複数種類の記録速度のうち第１の記録速度で、光ディスクの試し書き領域に光ビームを照射して第１の記録パワーを決定し、複数種類の記録速度のうち第１の記録速度以外の第２の記録速度で、試し書き領域に光ビームを照射して第２の記録パワーを決定する。そして、決定した第１及び第２の記録パワーに基づいて、第１及び第２の記録速度以外の記録速度における最適な記録パワーを決定することを特徴とする。【選択図】　　　図３
2004054963.tif 000002
【特許請求の範囲】
【請求項１】
光ディスクに対して複数種類の記録速度の中から選定された記録速度でデータ記録を行う光ディスク装置において、
前記複数種類の記録速度のうち第１の記録速度で、前記光ディスクの試し書き領域に光ビームを照射して第１の記録パワーを決定する第１の記録パワー決定手段と、
前記複数種類の記録速度のうち前記第１の記録速度以外の第２の記録速度で、前記試し書き領域に光ビームを照射して第２の記録パワーを決定する第２の記録パワー決定手段と、
前記第１及び第２の記録パワー決定手段によって決定された前記第１及び第２の記録パワーに基づいて、前記第１及び第２の記録速度以外の記録速度における最適な記録パワーを決定する第３の記録パワー決定手段とを具備することを特徴とする光ディスク装置。
【請求項２】
光ディスクに対して複数種類の記録速度の中から選定された記録速度でデータ記録を行う光ディスク装置において、
前記複数種類の記録速度のうちＯＰＣ方式が行える倍速で、前記光ディスクの試し書き領域に光ビームを照射してそれぞれの記録パワーを決定する第１の決定手段と、
前記決定手段によって決定されたそれぞれの記録パワーを直線的に繋いで、ＯＰＣが行えない倍速での最適な記録パワーを決定する第２の決定手段とを具備することを特徴とする光ディスク装置。
【請求項３】
前記第３の記録パワー決定手段は、前記第１の記録速度及び前記第２の記録速度と前記第１の記録パワー及び前記第２の記録パワーとの相関関係を求めて全ての記録速度における最適な記録パワーを決定することを特徴とする請求項１記載の光ディスク装置。
【請求項４】
前記第１の記録パワー決定手段及び第２の記録パワー決定手段における試し書きによる記録パワーの決定では、ＯＰＣ方式が採用されていることを特徴とする請求項１記載の光ディスク装置。
【請求項５】
光ディスクに対して複数種類の記録速度から選定された記録速度でのデータ記録を行う光ディスク装置の記録パワー制御方法において、
前記複数種類の記録速度のうち第１の記録速度で、前記光ディスクの試し書き領域に光ビームを照射して第１の記録パワーを決定する第１の工程と、
前記複数種類の記録速度のうち前記第１の記録速度以外の第２の記録速度で、前記試し書き領域に光ビームを照射して第２の記録パワーを決定する第２の工程と、
決定された前記第１及び第２の記録パワーに基づいて、前記第１及び第２の記録速度以外の記録速度における最適な記録パワーを決定する第３の工程とを具備することを特徴とする光ディスク装置の記録パワー制御方法。
【請求項６】
光ディスクに対して複数種類の記録速度の中から選定された記録速度でデータ記録を行う光ディスク装置の記録パワー制御方法において、
前記複数種類の記録速度のうちＯＰＣ方式が行える倍速で、前記光ディスクの試し書き領域に光ビームを照射してそれぞれの記録パワーを決定する工程と、
決定されたそれぞれの記録パワーを直線的に繋いで、ＯＰＣが行えない倍速での最適な記録パワーを決定する工程とを具備することを特徴とする光ディスク装置。
【請求項７】
前記第３の工程では、前記第１の記録速度及び前記第２の記録速度と前記第１の記録パワー及び前記第２の記録パワーとの相関関係を求めて全ての記録速度における最適な記録パワーを決定することを特徴とする請求項５記載の光ディスク装置の記録パワー制御方法。
【請求項８】
前記第１の工程及び前記第２の工程における試し書きによる記録パワーの決定では、ＯＰＣ方式が採用されていることを特徴とする請求項５記載の光ディスク装置の記録パワー制御方法。
【発明の詳細な説明】
【０００１】
【発明の属する技術分野】
この発明は、光ディスクに対してデータを記録したり、光ディスクに記録されたデータを再生したりする光ディスク装置に関する。また、この発明は、光ディスクに対してデータを記録するための光ビームの照射パワーを制御する記録パワー制御方法に関する。
【０００２】
【従来の技術】
周知のように、近年では、例えばＣＤ（Ｃｏｍｐａｃｔ　Ｄｉｓｋ）−Ｒ（Ｒｅｃｏｒｄａｂｌｅ）やＤＶＤ（Ｄｉｇｉｔａｌ　Ｖｅｒｓａｔｉｌｅ　Ｄｉｓｋ）−Ｒ等のように、データの記録再生が可能な光ディスクが開発され実用化されている。
【０００３】
一方、この種の光ディスクにデータの記録再生を行う光ディスク装置には、記録中にゾーン毎に倍速を変化させるＺＣＬＶ（Ｚｏｎｅ　Ｃｏｎｓｔａｎｔ　Ｌｉｎｅａｒ　Ｖｅｌｏｃｉｔｙ）方式での記録が可能な高速記録機能が備えられている。
【０００４】
この高速記録機能は、標準記録速度の数倍から十数倍の速度でデータを記録することが可能で、例えば標準記録速度の４倍、８倍、１２倍及び１６倍等のように、予め設定された複数の高速記録速度の中から、ユーザが所望の速度を選定することによって実行される。
【０００５】
ところで、このような高速記録機能を備えた光ディスク装置では、予め設定された基準の記録倍速（例えば４倍速）で、まず最初に光ディスクに試し書きを行って、記録パワーを最適な状態に制御している。
【０００６】
このような試し書きによる記録パワーの制御は、実際には非常に複雑な処理を要することになるが、現状では、ＯＰＣ（Ｏｐｔｉｍｕｍ　Ｐｏｗｅｒ　Ｃｏｎｔｒｏｌ）方式が広く採用されている。
【０００７】
このＯＰＣ方式は、簡単に言えば、光ディスク上に予め設定された試し書き領域（ＰＣＡ：Ｐｏｗｅｒ　Ｃａｌｉｂｒａｔｉｏｎ　Ａｒｅａ）に、極性反転間隔の異なる複数種類のテストパターンを、記録パワーを段階的に変えながらそれぞれ記録する。そして、光ディスクから、記録パワーを段階的に変えながら記録された各種類のテストパターンを再生し、それらのアシンメトリがほぼ“０”となる記録パワーを、その高速記録速度における最適な記録パワーとして、光ディスク上のＰＭＡ（Ｐｏｗｅｒ　Ｍａｎａｇｅｍｅｎｔ　Ａｒｅａ）に設定するものである。
【０００８】
従来のＺＣＬＶ記録方式で光ディスクにデータを記録する光ディスク装置では、例えば３６倍速等の高速記録速度でデータを記録するときは内周側にある試し書き領域において記録パワーを計測することはできない。つまり、内周では３６倍速ほどの高速回転は現状では物理上無理であるからである。そこで、上記で求めた低速な基準の４倍速での記録パワーをまず求め、この求めた記録パワーにある計算式を利用して４倍速以外の記録倍速時における最適な記録パワーを決定している。
【０００９】
【発明が解決しようとする課題】
しかしながら、上記のような光ディスク装置では、予め設定された記録倍速（例えば４倍速）のＯＰＣ１回のみで各倍速の記録パワーを決定するため、基準となる４倍速でのＯＰＣが大きくずれてしまった場合、記録倍速が上がるにつれて、光ディスクが必要とする記録パワーとの乖離が生じてしまう。すなわち、ＺＣＬＶ記録の任意の倍速では、光ディスクが必要とする以上の記録パワーになってしまったり、また、ある倍速では反対に光ディスクが必要とする記録パワーを出せないといった問題が生じる。
【００１０】
そこで、本発明は上記の問題を解決するために成されたものであり、ＺＣＬＶ記録方式においてＯＰＣを１回だけでなく、倍速を変えて複数回行い、それらＯＰＣが示したところを通るよう直線的に記録パワーを決定することができる光ディスク装置とその記録パワー制御方法を提供することを目的とする。
【００１１】
【課題を解決するための手段】
この発明は、上記の目的を達成するために、光ディスクに対して複数種類の高速記録速度から選定した高速記録速度でのデータ記録を行うものを対象としている。そして、複数種類の記録速度のうち第１の記録速度で、光ディスクの試し書き領域に光ビームを照射して第１の記録パワーを決定する第１の記録パワー決定手段と、複数種類の記録速度のうち第１の記録速度以外の第２の記録速度で、試し書き領域に光ビームを照射して第２の記録パワーを決定する第２の記録パワー決定手段と、第１及び第２の記録パワー決定手段によって決定された第１及び第２の記録パワーに基づいて、第１及び第２の記録速度以外の記録速度における最適な記録パワーを決定する第３の記録パワー決定手段とを備えるようにしたものである。
【００１２】
上記のような構成によれば、第１の記録速度における記録パワーを試し書きによって決定するとともに、第２の記録速度における記録パワーを決定し、これら決定した記録パワーに基づいて、第１及び第２の記録速度以外の記録速度における記録パワーを決定している。そのため、第１の記録速度で決定した記録パワーが大きくずれていても、他の記録速度での記録パワーはそれほど大きなずれを生じさせない。
【００１３】
また、この発明は、上記の目的を達成するために、光ディスクに対して複数種類の記録速度の中から選定された記録速度でデータ記録を行う光ディスク装置において、前記複数種類の記録速度のうちＯＰＣ方式が行える倍速で、前記光ディスクの試し書き領域に光ビームを照射してそれぞれの記録パワーを決定する第１の決定手段と、前記決定手段によって決定されたそれぞれの記録パワーを直線的に繋いで、ＯＰＣが行えない倍速での最適な記録パワーを決定する第２の決定手段とを具備することを特徴とする。
【００１４】
上記のような構成によれば、ＯＰＣが行える倍速、つまり、ディスクモータが物理的に回転可能な倍速（４倍速、８倍速、１２倍速、１６倍速、２４倍速）における記録パワーを決定し、これら決定した記録パワーに基づいて、ＯＰＣが行えない記録倍速における記録パワーを決定している。そのため、最初に求めた記録パワーが複数あるため記録パワーが大きくずれることもなく、ＯＰＣが行えない記録倍速での記録パワーを正確に求めることができる。
【００１５】
【発明の実施の形態】
以下、この発明の実施の形態について、図面を参照して詳細に説明する。すなわち、図１は、この実施の形態で説明するＺＣＬＶ記録方式で光ディスクにデータを記録することが可能な光ディスク装置の全体的な構成を示している。
【００１６】
この光ディスク装置は、例えばＣＤ−Ｒ、ＣＤ−ＲＷ（Ｒｅｗｒｉｔａｂｌｅ）、ＤＶＤ−Ｒ及びＤＶＤ−ＲＷ等の光ディスク１に対して、複数種類の高速記録速度（例えば、標準記録速度の４倍、８倍、１２倍及び１６倍等）でのデータの記録再生を行うものである。光ディスク装置は、システムコントローラ１０、ディスクモータ１２、光ピックアップ１４、ＲＦアンプ１６、信号処理回路１８、レーザ発光ドライバ２０、レーザ出力設定回路２２、比較補正回路２４、ＲＦ信号振幅値検出回路２６、エンコード処理回路２８、バッファメモリ３０、及びインターフェース３２を備えている。
【００１７】
システムコントローラ１０は、各部を制御して光ディスク１にデータを記録させたり、光ディスク１に記録されたデータを再生させたりする。ディスクモータ１２は、光ディスク１を例えば線速度一定で回転駆動させる。光ピックアップ１４は、光ディスク１に対して光ビームを照射する半導体レーザを備えている。この半導体レーザは、記録用パワーの光ビーム及び再生用パワーの光ビームを出力する。また、光ピックアップ１４は、光ディスク１からの反射光を検出する光検出器（不図示）を備えている。この光検出器は、光ディスク１からの反射光を電気信号、即ち再生信号に変換して出力する。
【００１８】
ＲＦアンプ１６は、再生信号からＲＦ信号及びサーボ用信号を生成する。信号処理回路１８は、ＲＦ信号をデコードする。また、信号処理回路１８は、サーボ用信号から光ピックアップのフォーカス及びトラッキングをコントロールするコントロール信号を生成する。さらに、信号処理回路１８は、サーボ用信号からディスクモータ１２の回転をコントロールするコントロール信号を生成する。
【００１９】
レーザ出力設定回路２２は、システムコントローラ１０から供給される光ビームの記録用パワー及び再生用パワーの設定値を設定する。また、レーザ出力設定回路２２は、ＲＦ信号から得られる反射率変動に基づき、記録用パワーの設定値を調整する。レーザ発光ドライバ２０は、レーザ出力設定回路２２による設定に基づくパワーの光ビームを、光ピックアップ１４に搭載された半導体レーザから発光させる。
【００２０】
ＲＦ信号振幅値検出回路２６は、再生信号のシンメトリーを検出する。つまり、図２に示すように、ＲＦ信号振幅値検出回路２６は、再生信号の振幅平均値を検出し、再生信号のピークレベルとボトムレベルの中間値を検出する。比較補正回路２４は、振幅平均値と中間値とを比較して、比較結果に基づき補正信号をレーザ発光ドライバ２０に供給する。具体的に言うと、比較補正回路２４は、振幅平均値と中間値とを比較して振幅平均値が中間値より低い場合にはレーザ出力設定回路による設定値よりレーザ発光出力を下げる補正信号を出力する。逆に、比較補正回路２４は、振幅平均値と中間値とを比較して振幅平均値が中間値より高い場合にはレーザ出力設定回路による設定値よりレーザ発光出力を上げる補正信号を出力する。
【００２１】
エンコード処理回路２８は、記録データをエンコードする。バッファメモリ３０は、エンコード処理回路２８で処理されるデータ及び処理されたデータを一時的に保存する。インターフェース３２は、外部からの記録データをエンコード処理回路２８に供給したり、信号処理回路１８でデコードされた再生データを外部に供給したりする。
【００２２】
（記録パワー制御）
次に、本発明の光ディスク装置における記録パワー制御について説明する。図３はこの記録パワー制御を説明するためのフローチャートである。
まず、システムコントローラ１０は光ディスク１が装填された状態の光ディスク装置の電源がオンされたか、又は電源がオンされた状態の光ディスク装置に対して光ディスク１が装填されたか否かを判断する（ＳＴ１）。電源がオンされない、又は光ディスク１が装填されない場合（ＳＴ１のＮ）、ＳＴ１の処理を繰り返す。また、電源がオン、又は光ディスク１が装填された場合（ＳＴ１のＹ）、システムコントローラ１０は光ディスク１の内周側にある試し書き領域が予め設定された記録倍速（光ディスク装置がサポートしている基準の倍速、ここでは例えば４倍速）となるようディスクモータ１２を制御して光ディスク１を回転駆動させる（ＳＴ３）。
【００２３】
そして、システムコントローラ１０はエンコード処理回路２８にテストパターンを生成させ、このテストパターンをレーザ発光ドライバ２０に供給させる（ＳＴ５）。これを受けて、レーザ発光ドライバ２０はこのテストパターンに対応して試し書き領域に半導体レーザを発光させる（ＳＴ７）。このとき、システムコントローラ１０は、レーザ出力設定回路２２に対して、段階的にレーザパワーが変化するような出力値を供給する。これに伴い、半導体レーザのパワーは段階的に変化する。つまり、段階的に変化するレーザパワーによりテストパターンが試し書き領域に記録される。このテストパターンを再生して、アシンメトリがほぼ“０”となる記録パワーを、４倍速での最適な記録パワーとして決定する（ＳＴ９、ＳＴ１１）。システムコントローラ１０はエンコード処理回路２８を制御し、レーザ発光ドライバ２０に対しＳＴ１１で求めた記録パワーの値を光ディスク１のＰＭＡ領域に記録させる（ＳＴ１３）。
【００２４】
次に、システムコントローラ１０は光ディスク１の試し書き領域が４倍速以外のサポート倍速（ここでは、８倍速）となるようディスクモータ１２を制御して光ディスク１を回転駆動させる（ＳＴ１５）。
【００２５】
そして、システムコントローラ１０はエンコード処理回路２８にテストパターンを生成させ、このテストパターンをレーザ発光ドライバ２０に供給させる（ＳＴ１７）。これを受けて、レーザ発光ドライバ２０はこのテストパターンに対応して試し書き領域に半導体レーザを発光させる（ＳＴ１９）。このとき、システムコントローラ１０は、レーザ出力設定回路２２に対して、上記同様に段階的にレーザパワーが変化するような出力値を供給し、半導体レーザのパワーを段階的に変化させる。このテストパターンを再生して、アシンメトリがほぼ“０”となる記録パワーを、８倍速での最適な記録パワーとして決定する（ＳＴ２１、ＳＴ２３）。システムコントローラ１０はエンコード処理回路２８を制御し、レーザ発光ドライバ２０に対しＳＴ２３で求めた記録パワーの値を光ディスク１のＰＭＡ領域に記録させる（ＳＴ２５）。
【００２６】
そして、ＳＴ１３とＳＴ２５でＰＭＡ領域に記録した各記録パワーに基づいて、システムコントローラ１０は図４に示すように、４倍速、８倍速以外の記録倍速における最適記録パワー（光ディスク装置がサポートしている全ての記録倍速の記録パワー）を求める（ＳＴ２７）。この記録パワーの求め方としては、４倍速での記録パワーと８倍速での記録パワーのポイントを図４のように直線的につないで、各倍速時の最適記録パワーを決定する。つまり、記録倍速とそのときの記録パワーとの相関関係を求めて決定する。
【００２７】
ＳＴ２７で各倍速時での各々の最適記録パワーが決定したら、システムコントローラ１０はエンコード処理回路２８を制御し、レーザ発光ドライバ２０に対し光ディスク１のＰＭＡ領域に記録させる（ＳＴ２９）。
【００２８】
このように本発明では、ＳＴ１３で求めた（光ディスク装置が予め設定している）４倍速での記録パワー（１回目）の他に、８倍速における記録パワー（２回目）を求め、これらの記録パワーに基づいて、４倍速、８倍速以外の倍速時の最適な記録パワーを、電源投入時又は光ディスクの装填時に求めている。それによって、光ディスク装置がサポートしている他の記録倍速での最適な記録パワーを求めることができ、ＯＰＣ一回だけで決定するよりも、格段に記録パワーの精度がよくなる。なお、ここでの説明では、ＳＴ３、ＳＴ１５で４倍速、８倍速の記録パワーを２つ求めているが、本発明はこれに限るものではなく、例えば４倍速、８倍速、１２倍速の記録パワーを３つ求めてもよいし、又は光ディスク装置でサポートしている全ての記録倍速（ただし、ディスクの内周側ではあまり高い倍速では、物理的に回転不可能であるため、ディスクモータが回転可能な倍速）の記録パワーを求めてもよい。すなわち、図５を見ると、ＯＰＣが行える倍速は２４倍速までであるため、記録パワーを４倍速から２４倍速まで求め、この求めたそれぞれの記録パワーを直線的にして、ＯＰＣが物理的な影響で行えない倍速、つまり２４倍速より速い倍速における記録パワーを求めてもよい。
【００２９】
なお、本発明は、上記実施形態に限定されるものではなく、実施段階では、その要旨を逸脱しない範囲で種々に変形することが可能である。
【００３０】
【発明の効果】
以上のように、電源投入時または光ディスクの装填があったときに、光ディスク装置で予め設定された基準の記録倍速（例えば４倍速）でＯＰＣを行って最適記録パワーを求めるとともに、光ディスク装置でサポートしている４倍速以外の倍速（例えば８倍速、１２倍速、１６倍速、２４倍速）でＯＰＣを行って最適記録パワーを求め、これらの記録パワーを直線的につないで、ＯＰＣが行えなかった倍速（例えば、３２倍速、４８倍速・・・等）での最適な記録パワーを決定している。そのため、従来に比べ、光ディスク装置がサポートしている全ての倍速における記録パワーを正確に決定することができ、ＺＣＬＶ記録の任意の倍速で光ディスクが必要とする以上の記録パワーになってしまったり、また、ある倍速では反対に光ディスクが必要とする記録パワーを出せないといった問題を解消することができる。
【図面の簡単な説明】
【図１】本発明に係る一実施形態の光ディスク装置の構成を示すブロック図である。
【図２】再生信号の振幅平均値、及び再生信号のピークレベルとボトムレベルの中間値を説明するための図である。
【図３】記録パワーを制御するためのフローチャートである。
【図４】ＯＰＣが示した記録パワーと記録倍速の相関図である。
【図５】ＯＰＣが行える倍速と行えない倍速時の境を示した図である。
【符号の説明】
１０　　システムコントローラ
１２　　ディスクモータ
１４　　光ピックアップ
１６　　ＲＦアンプ
１８　　信号処理回路
２０　　レーザ発光ドライバ
２２　　レーザ出力設定回路
２４　　比較補正回路
２６　　ＲＦ信号振幅値検出回路
２８　　エンコード処理回路
３０　　バッファメモリ
３２　　インターフェース
【図１】
2004054963.tif 000003
【図２】
2004054963.tif 000004
【図３】
2004054963.tif 000005
【図４】
2004054963.tif 000006
【図５】
2004054963.tif 000007